(57)【特許請求の範囲】
【請求項１】
互いに独立した複数の制御手段と、
待機時から起動時に移行する際の起動要因を検知する起動検知手段と、
前記複数の制御手段に電源を供給する第２電源と、
待機時は前記第２電源をオフし、前記起動検知手段が通信回線からの着信信号を検知したときは、前記第２電源をオンする待機制御手段と、
前記起動検知手段と前記待機制御手段とに電源を供給する第１電源と、
可視表示部を含む操作手段とを備え、
前記起動検知手段が前記通信回線からの着信信号を検知したときに、受信モードが手動受信に設定されている場合、前記複数の制御手段のうちの１つは前記可視表示部にファクシミリの操作画面を表示するように制御することを特徴とするファクシミリ装置。
【発明の詳細な説明】
【０００１】
【発明の属する技術の分野】
本発明はファクシミリ装置に関し、詳細には、複数の制御部で構成されていると共に、可視表示部を備えたファクシミリ装置に関する。
【０００２】
【従来の技術】
従来のファクシミリ装置では、送信又は受信、コピー等の動作を行っていない待機時にも、各制御部に電源から電力が供給されており、各制御部に含まれるＣＰＵやＩ／Ｏ、メモリは動作状態にあってプログラムを実行している。また、操作部の可視表示部にファクシミリやコピー等の複数の操作内容を表示する場合、表示の切り替えは操作部のスイッチを押下して行われ、かつ起動時にはいずれかの操作画面を常に表示をしている。
【０００３】
【発明が解決しようとする課題】
しかしながら、かかる従来のファクシミリ装置では以下に掲げる問題があった。
【０００４】
（ｌ）送信、受信、コピー等に関する動作をしていない待機状態で、各制御部は電力を消費し、ＣＰＵやＩ／Ｏ（入出力装置）はプログラム実行やクロック動作に電力を消費し、動作の必要がない回路においても余分の電力が消費されていた。
【０００５】
（２）操作部の表示画面は、ファクシミリやコピー等を行うごとに操作部のスイッチを押下して切り替えて操作するために、例えばハンドセットをオフフックして通信する場合でも再度前記スイッチを押下して通信画面に切り替える手間が生じていた。また、夜間等の待機時に通信回線から着信信号を検知して自動的にファクシミリの受信を行う場合も操作画面を表示するために、画面表示のための電力が消費されていた。
【０００６】
本発明の目的は、待機時に消費電力を低減することができるファクシミリ装置を提供することにある。
【０００７】
【課題を解決するための手段】
上記目的を達成するため、互いに独立した複数の制御手段と、待機時から起動時に移行する際の起動要因を検知する起動検知手段と、前記複数の制御手段に電源を供給する第２電源と、待機時は前記第２電源をオフし、前記起動検知手段が通信回線からの着信信号を検知したときは、前記第２電源をオンする待機制御手段と、前記起動検知手段と前記待機制御手段とに電源を供給する第１電源と、可視表示部を含む操作手段とを備え、前記起動検知手段が前記通信回線からの着信信号を検知したときに、受信モードが手動受信に設定されている場合、前記複数の制御手段のうちの１つは前記可視表示部にファクシミリの操作画面を表示するように制御することを特徴とする。
【００１９】
【発明の実施の形態】
以下、図１を参照しながら本発明のファクシミリ装置の実施の形態の構成について説明する。
【００２０】
図１はファクシミリ装置の構成を示すブロック図である。本実施の形態におけるファクシミリ装置は、メイン制御部ｌ０、画像処理制御部１１、入出力制御部１２、及びメモリ制御部１４を備える。これらの制御部１０、１１、１２、１４は互いに独立して動作する。メイン制御部１０は、起動検知手段１８及び電圧監視回路２２を含む。該ファクシミリ装置は、さらに、共有メモリ１３、第１電源１６、第２電源１７、待機制御手段としてのスタンバイ制御手段１９、イメージスキャナ２０、プリンタ２１、及び操作部３０を有する。操作部３０は可視表示部３１を含む。共有メモリ１３は、原稿データＧＤ１、伸長データＧＤ２、送信用圧縮データＣＤ１及び受信用データＣＤ２を含む。画像処理制御装置１１は、共有メモリ１３の各データを圧縮／伸長する圧縮／伸長回路２５を含む。
【００２１】
メモリ制御部１４は、共有メモリ１３に通信線を介して接続されている。メイン制御部１０、画像処理制御部１１及び入出力制御部１２は、メモリ制御部１４に通信線を介してそれぞれ接続されている。イメージスキャナ２０及びプリンタ２１は、入出制御部１２に通信線を介してそれぞれ接続されている。操作部３０はメイン制御部１０に通信線を介して接続されている。モデム２６は通信制御部２７を介して通信回線に接続されている。また、操作部３０は、モデム２６及び通信制御部２７を介して通信回線よりアナログ信号を受け取り、この受け取ったアナログ信号をデジタル信号に変換し、またその逆を行う。
【００２２】
第１電源１６及び第２電源１７は、装置電源に電力線を介して接続されている。
【００２３】
第１の電源は、共有メモリ１３、メモリ制御部１４、起動検知手段１８、スタンバイ制御手段１９にそれぞれ電力線を介して接続されている。第２の電源は、メイン制御部１０、画像処理制御部１１、入出力制御部１２、イメージスキャナ２０、及びプリンタ２１にそれぞれ電力線を介して接続されている。図示しないコピー、電話、ファクシミリの回線インターフェースは操作部３０に接続されている。ファクシミリは、図示しないハンドセットを有する。
【００２４】
メイン制御部１０及び起動検知手段１８はそれぞれ通信線を介してスタンバイ制御手段１９に接続されている。スタンバイ制御手段１９は通信線を介して第２電源に接続されている。電圧監視回路には通信線を介してメモリ制御部１４に接続されている。
【００２５】
メイン制御部１０は操作部３０を介してコピー、電話、ファクシミリの回線インタフェースを制御する。画像処理制御部１１は画像データの圧縮／伸長及び解像度変換等を菅理する。入出力制御部１２はイメージスキャナ２０やプリンタ２１の入出力を制御する。メイン制御部１０、画像制御部１１、及び入出力制御部１２のそれぞれは、制御の中枢となるＣＰＵ、制御プログラムなどを格納したＲＯＭ、バスマスタとなるＩ／Ｏを備え、ＣＰＵで制御プログラムを実行することにより各種処理を実行し、またバスマスタとなるＩ／Ｏによりデータ処理して制御する。共有メモリ１３はＤＲＡＭ等の半導体メモリで構成されており、メイン制御部１４により制御される。
【００２６】
メイン制御部１０、画像処理制御部１１及び入出力制御部１２は、メモリ制御部１４を介して共有メモリ１３に独立かつ任意に送信又は受信のアクセスができる。メイン制御部１０が送信側の制御部である時には、画像処理制御部１１及び入出力制御部１２が受信側の制御部となり得、画像処理制御部１１が送信側の制御部である時には、メイン制御部１０及び入出力及び画像処理制御部１１が受信側の制御部となり得る。これにより、上記送信側の制御部が共有メモリ１３に書き込まんだ画像データを上記受信側の制御部が読み出すことによって、各制御部で処理された画像データを交換できる。
【００２７】
また、このファクシミリ装置おいては、第ｌ電源１６及び第２電源１７が各構成部に電源を供給する。すなわち、第１電源１６はメイン制御部１０に含まれる起動検知手段１８、スタンバイ制御手段１９、メモリ制御部１４及び共有メモリ１３に電源を供給し、第２電源１７はメイン制御部１０の起動検知手段１８を除く部分、画像処理制御部１１、入出力制御部１２、プリンタ２１及びイメージスキャナ２０へ電源を供給する。
【００２８】
起動検知手段１８は、電話又はファクシミリの送信及び受信、コピー等に関する操作や通信回線からの着信信号を検知して起動信号１８ａをスタンバイ制御手段ｌ９に送出する。スタンバイ制御手段１９は起動検知手段ｌ８から起動信号１８ａを受信したときに第２電源１７をオンにする。一方、メイン制御部１０が予め規定された時間の経過前に上記の着信信号を検知しなくなったときは、メイン制御部１０がスタンバイ信号１０ａを送出し、スタンバイ制御手段１９がスタンバイ信号１０ａを受信したときに第２電源１７をオフにする。
【００２９】
メイン制御部１０に設けられた電圧監視回路２２は、第２電源１７の電圧を検知して電圧検知信号２２ａをメモリ制御部１４に送出する。
【００３０】
操作部３０は可視表示部３１を有しており、コピー動作時には図２（Ａ）に示すコピー換作画面３０ａを表示し、ファクシミリ動作時は図２（Ｂ）に示すファクシミリ操作画面３０ｂを表示することが可能である。ここに、図２は、操作部３０の可視表示部３１の操作画面を示す。
【００３１】
以下、本発明のファクシミリ装置の実施の形態に係る動作について説明する。
【００３２】
まず、ファクシミリ装置が送信又は受信を行っていない待機状態では、第１電源１６はオンであり、メイン制御部１０からスタンバイ信号１０ａを受けているスタンバイ制御手段１９の制御により、第２電源１７はオフである。
【００３３】
ファクシミリ送信を行う場合、起動検知手段１８が、送信すべき原稿のセット又は図示しないハンドセットのオフフックなどの発呼に関する操作を検知すると、スタンバイ制御手段１９は起動検知回路１８から送出される起動信号１８ａを受け取り、待機時にオフであった第２電源１７をオンにする。これにより、第２電源１７はメイン制御部１０、画像処理制御部１１、入出力制御部ｌ２、プリンタ２１及びイメージスキャナ２０に電源を供給し、ファクシミリ装置は動作可能な状態に立ち上がる。
【００３４】
この状態で、イメージスキャナ２０で読み込まれた原稿の画像データは、入出力制御部１２により共有メモリ１３に原稿データＧＤ１として蓄積された後、画像処理制御部１１内の圧縮／伸長回路２５によりファクシミリ圧縮データＣＤ１に変換されて共有メモリｌ３に転送される。ホスト制御部１０は圧縮データＣＤ１を読み出し、送信すべきファクシミリデータを生成し、生成されたファクシミリデータをモデム２６及び通信制御部２７を介して通信回線に出力する。通信が終了して予め規定された時間が経過した後、メイン制御部１０はスタンバイ信号１０ａをスタンバイ制御手段１９に送出する。スタンバイ制御手段１９はメイン制御部１０からスタンバイ信号１０ａを受け取り、第２電源ｌ７をオフにする。
【００３５】
ファクシミリ受信を行う場合、起動検知手段ｌ８が通信回線からの着信信号又は受信に関する操作を検知すると、起動検知手段１８はスタンバイ制御手段１９にスタンバイ信号１０ａを送出する。スタンバイ制御手段１９は起動検知手段１８から送出される起動信号１８ａを受け取り、待機時にメイン制御部１０、画像処理制御部１１、入出力制御部１２への電源供給をオフにしていた第２電源１７をオンにする。これにより、ファクシミリ装置は動作可能な状態に立ち上げる。
【００３６】
この状態で、通信回線から受信されたファクシミリデータは、メイン制御部１０によりファクシミリ圧縮データＣＤ２として共有メモリｌ３に転送された後、画像処理制御部ｌ１内の圧縮／伸長回路２５により伸長データＧＤ２に変換されて共有メモリ１３に転送される。そして、入出力制御部１２が伸長データＧＤ２を読み出し、プリンタへ２１に出力する。受信によるプリントアウトが全て終了し、予め規定された時間が経過した後に、スタンバイ制御手段１９はメイン制御部１０からスタンバイ信号１０ａを受け取って第２電源１７をオフにする。
【００３７】
なお、スキャナ２０により読み出され蓄積された原稿データＧＤｌを符号化データＣＤｌに圧縮して送信する場合、又は通信回線から受信された符号化データＣＤ２を印字する伸張データＧＤ２に変換してプリンタへ出力する場合、共有メモリｌ３内の原稿データＧＤ１及び伸長データＧＤ２に対して、メイン制御部１０が文字データを付加したり、原稿データＧＤｌに対して画像処理制御部ｌ１が画像の拡大／縮小等の変換処理を行って共有メモリ１３に転送することができる。このように、各制御部１０、１１、１２は共通に共有メモリ１３にアクセスすることができる。
【００３８】
以下、図３を参照しながら待機時におけるメイン操作部３０の可視表示部３１の画面表示の状態遷移を説明する。
【００３９】
図３のフローチャートにおいて、本実施例のファクシミリ装置は、ステップＳ３１では第１電源オン、第２電源オフの待機状態である（ステップＳ３１）。ステップＳ３２で、ファクシミリ装置が通信回線から着信信号を受信して、起動検知手段１８が通信回線からの着信信号を検知するとスタンバイ制御手段１９に起動信号１８ａを送出する。次いで、ステップＳ３３に進み、スタンバイ制御手段ｌ９は起動検知手段１８から起動信号１８ａを受け取ると、第２電源１７をオンにする。これにより、ファクシミリ装置は動作可能な状態に立ち上がる。
【００４０】
次いで、ステップＳ３４で、ファクシミリ装置の受信モードが自動着信に設定されているか否かを判別する。ファクシミリ装置の受信モードが予め自動着信に設定されている場合、ステップＳ３５に進み、メイン制御部１０は操作部３０内の可視表示部３１に待機時と同様に画面表示させず、表示部の電力消費を抑さえた状態で、前述のシーケンスに従ってファクシミリ受信を行う（ステップＳ３６）。ステップＳ３４で、ファクシミリ装置の受信モードが予め自動着信に設定されていない場合、ステップＳ３７に進み、メイン制御部１０は操作部３０内の可視表示部３１に図２（Ｂ）の表示画面を表示させる。次いで、ハンドセットのオフフックを検知してから（ステップＳ３８）、受信動作を行い（ステップＳ３６）、本プログラムを終了する。
【００４１】
以下、図４を参照しながら待機時におけるメイン操作部３０の可視表示部３１の他の画面表示の状態遷移を説明する。
【００４２】
図４のフローチャートにおいて、本実施例のファクシミリ装置は、ステップＳ４１では第１電源オン、第２電源オフの待機状態である（ステップＳ４１）。待機時にファクシミリ装置のハンドセットをオフフックして通信を行う際、起動検知手段１８がハンドセットのオフフックを検知するとスタンバイ制御手段１９に起動信号１８ａを送出する（ステップＳ４２）。スタンバイ制御手段１９は起動検知手段１８から起動信号１８ａを受け取ると、第２電源ｌ７をオンにする（ステップＳ４３）。これにより、ファクシミリ装置は動作可能な状態に立ち上がり、メイン制御部１０はハンドセットがオフフック状態にあることで、メイン操作部３０内の可視表示部３ｌをファクシミリの操作画面に設定し（図２（Ｂ））、通信操作がすぐに可能な状態にして（ステップＳ４５）、本プログラムを終了する。
【００４３】
以下、図５を参照しながら起動時におけるメイン操作部３０の可視表示部３１の画面表示の状態遷移を説明する。
【００４４】
図５のフローチャートにおいて、本実施例のファクシミリ装置は、ステップＳ５１では第１電源オン、第２電源オンの起動時状態である（ステップＳ５１）。起動時にファクシミリ装置のハンドセットをオフフックして通信を行う際、メイン制御部１０はハンドセットがオフフックしたことにより（ステップＳ５２）、ステップＳ５３に進み、メイン操作部３０内の可視表示部３１の操作画面は、ファクシミリの操作画面以外、具体的にはコピーの操作画面（図２（Ａ））が表示されている場合は（ステップＳ５３）、ファクシミリの操作画面（図２（Ｂ））に切り替えて表示する（ステップＳ５４）。これにより、ファクシミリ装置はハンドセットのオフフックと同時に、ファクシミリの操作画面を表示して通信操作を行うことができる（ステップＳ５５）。
【００４５】
本実施の形態のファクシミリ装置によれば、電話やファクシミリによる発呼または着信の検知やハンドセットのオフフック、コビーなどの操作などを検知して起動する場合、各種サービス動作を実行する各制御部への電源供給をオンにし、サービス動作を終了後、前記各制御部への電源供給をオフにすることにより、待機時の消費電力を低くすることができる。また、本実施の形態におけるファクシミリ装置は、複数の制御部が共通にアクセスできるイメージスキヤナやプリンタの入出力用又は送信／受信用に共有メモリを設け、その共有メモリを用いて各制御部間のデータ転送を行うことでハードウエア構成を小型化し、かつ制御部間インタフェースを高速に行うことができる。
【００４６】
なお、ファクシミリ装置は複数の機器から構成されるシステムでも、単一の機器から構成されるものであってもよい。また、本発明は、ハードウェア構成により達成される場合に限らず、システム又は装置にプログラムを供給することによってソフトウェアにより達成される場合にも適用できることはいうまでもない。
【００４７】
【発明の効果】
以上詳細に説明したように、請求項１の発明によれば、待機時に第２電源をオフすると共に、起動検知手段により待機時から起動時に移行する際の起動要因が検知され時に第２電源をオンにするので、待機時の消費電力を低減することができる。
【００４８】
また、可視表示部への電源供給はオフされている状態で、通信回線から着信信号を検出し、かつ、ファクシミリ装置の受信モードが手動受信に設定されている場合に、可視表示部への電源供給をオンすることによって、ファクシミリの操作画面が表示され、すぐに通信操作を行なうことができるという効果を奏する。
【図面の簡単な説明】
【図１】図１はファクシミリ装置の構成を示すブロツク図である。
【図２】図２は操作部３０の可視表示部３１の操作画面を示す説明図である。
【図３】図３は、待機時におけるメイン操作部３０の可視部表示部３１の画面表示の状態遷移を示すフローチャートである。
【図４】図４は、待機時におけるメイン操作部３０の可視部表示部３１の画面表示の状態遷移を示す他のフローチャートである。
【図５】図５は、起動時におけるメイン操作部３０の可視表示部３１の画面表示の状態遷移を示すフローチャートである。
【符号の説明】
１０  ホスト制御部
１１  画像処理制御部
１２  入出力制御部
１３  共有メモリ
１４  メモリ制御部
１６  第１電源
１７  第２電源
１８  起動検知手段
１９  スタンバイ制御手段
２０  イメージスキヤナ
２１  プリンタ
【図１】
0003618899.tif 000002
【図２】
0003618899.tif 000003
【図３】
0003618899.tif 000004
【図４】
0003618899.tif 000005
【図５】
0003618899.tif 000006